(57)【要約】      （修正有）【課題】不織布マスクの素地に口や皮膚に接触せず、唇の動きを阻害する事や、女性の口紅やファンデーションが不織布マスクの素地への付着を回避する事が可能なマスク補助具、又は前記マスク補助具を備えた衛生用マスクを提供する。【解決手段】衛生用の不織布マスク裏面のプリーツ７の内側に挿入するマスク補助具１で、可撓性を有した材料で横長の板体１０を形成し、板体左右の端面１１がプリーツ内側左右の熱溶着部分に当接した状態を維持して、人間の顔に装着して人間の鼻を中心に湾曲する不織布マスクとマスク補助具とが共に湾曲して装着する人間の口元周辺に空間を作る事を特徴とする。【選択図】図２
0003234963.tif 000002
【実用新案登録請求の範囲】
【請求項１】
衛生用の不織布マスク裏面のプリーツ内側に挿入して、左右の端面をプリーツ左右の熱溶着部分に当接した状態を維持して、人間の顔に装着して湾曲する不織布マスクと共に湾曲するマスク補助具で、可撓性を有した材料で形成した横長の板体である事を特徴とするマスク補助具。
【請求項２】
前記板体の中央部分の左右に、上方向又は下方向に延伸する２本の縦長の板体を備えた事を特徴とする前記請求項１に記載のマスク補助具。
【請求項３】
前記板体の中央部分が拡幅した板体に開口部を備えた事を特徴とする前記請求項１に記載のマスク補助具。
【請求項４】
前記板体中央部分の前記縦長の板体又は前記拡幅した板体の上端部分に、角部又は曲部を備えた事を特徴とする前記請求項２又は３に記載のマスク補助具。
【考案の詳細な説明】
【技術分野】
【０００１】  本考案は、衛生用の不織布マスク裏面のプリーツ内側に挿入して不織布マスクと共に湾曲するマスク補助具に関するものである。
【背景技術】
【０００２】  衛生用の不織布マスクの内側に立体形状のマスク補助具を装着して、衛生用マスクと人間の顔との間に空間を作って、不織布マスクの素地が顔に触れる事を回避する技術が知られている。【０００３】  例えば、下記特許文献１の「マスク補助具」が提案されている。
【先行技術文献】
【特許文献１】
【０００４】
【特許文献１】実用新案登録第３２２９９０９号公報
【特許文献２】特許第６７８０１５０号公報
【考案の概要】
【考案が解決しようとする課題】
【０００５】しかしながら、特許文献１の「マスク用インナーフレーム」は、立体形状を成している輪郭部分が常に人間の顔に接触しているために圧迫感があり、会話の際の口元に違和感を生じると共に、化粧のファンデーションがマスク用インナーフレームとの接触によって落ちてしまう不都合がある。【０００６】  また、特許文献２の「マスク用補助具」は、衛生用マスクのマスク本体の右又は左に固定するためのクリップとガード部で左右を個々に構成して、中央で左右のガード部が重なった部分を保持部で挟んで固定して連結する構造のマスク用補助具であって、マスク本体の素地をクリップで挟んで固定し、中央でガード部が重なる部分でスライドさせて左右の長さを変える事が出来るもので、２枚の板を重ねて支持部で固定している為に柔軟性を欠いてしまいマスク本体に沿った湾曲は難しく、また、左右に備えられたクリップは、マスク用補助具が湾曲した状態を左右のクリップで維持させるための物であるが、湾曲したマスク補助具が元に戻ろうとする力が常に働き、マスク本体から脱落する外方向の力が常にクリップへ加わるために、マスク本体の素地を挟み込む強い力が必要で、その力を持続的に維持するためには締め付け力が強力なクリップを構成する必要がある。また、湾曲したマスク補助具が元に戻ろうとする力を生じさせないために針金等をガード部内部に装填して湾曲状態を維持する構造の実施形態も記されている。以上の点から勘案してマスク補助具の重量が増加して装着時の負担が増してしまう。更にマスク用補助具を構成する部品構造や製造方法が複雑で、且つ部品数が多くなる事で生産効率が低くなり低コストでの提供が困難であると考えられる。【０００７】  そこで、本考案では、衛生用の不織布マスク裏面のプリーツ内側に、可撓性を有した材料で形成した横長の板体を挿入して、プリーツ左右の熱溶着部分に横長の板体左右の端面が当接した状態を維持して、不織布マスクと共に湾曲して不織布マスクの中間部を前方へ張り出して人間の口元周辺に空間を作り、唇や皮膚に接触する事を回避する事が可能で、且つ簡単な構造である事で低コストのマスク補助具を提供する事を目的とする。【０００８】  尚、本発明のマスク補助具は、マスク補助具単体で提供する事と、予め不織布マスク裏面にマスク補助具を挿入した衛生用の不織布マスクとして提供する事も可能である。
【課題を解決するための手段】
【０００９】  上記の課題を解決するためになされた第１の考案は、横長の板体を衛生用の不織布マスク裏面のプリーツ内側に挿入して、前記板体左右の端面が前記プリーツ左右の熱溶着部分に当接した状態を維持して、人間の顔に装着して不織布マスクと共に湾曲するマスク補助具で、可撓性を有した材料で形成した横長の板体である事を特徴とする。【００１０】  尚、当接とは自由な状態ではなく、規制して動きが抑えられた状態で接している事を意味するものである。【００１１】  第２の考案は、前記板体の中央部分の左右に、上方向又は下方向に延伸する２本の縦長の板体を備えた事を特徴とする【００１２】  第３の考案は、前記板体の中央部分が拡幅し、拡幅した板体に開口部を備えた事を特徴とする。【００１３】  第４の考案は、前記板体中央部分の前記縦長の板体又は前記拡幅した板体の上端部分に、角部又は曲部を備えた事を特徴とする。
【考案の効果】
【００１４】  第１の考案のマスク補助具は、衛生用の不織布マスク裏面のプリーツ内側に可撓性を有した材料で形成した横長の板体を挿入して、当該板体の左右の端面がプリーツ左右の熱溶着部分に当接した状態を維持して、人間の顔に装着して人間の鼻を中心に湾曲する不織布マスクとマスク補助具とが共に湾曲して、不織布マスクの中間部を前方へ張り出して人間の口元周辺に空間を作る事が出来る。【００１５】  第２の考案のマスク補助具は、可撓性を有した材料で形成した横長の板体の中央部分の左右に、上方向又は下方向に延伸した２本の縦長の面を備えて、人間の顔に装着して人間の鼻を中心に湾曲する不織布マスクとマスク補助具とが共に湾曲して、不織布マスクの中間部を前方へ張り出して作る人間の口元周辺の空間を、上方向又は下方向に突出した縦長の板体によって拡大する事が出来ると共に、中間部分の左右で上方向に延伸した２本の縦長の板体間の空間が人間の顔の唇の直前に位置して、呼吸への負担を軽減している。【００１６】  第３の考案のマスク補助具は、可撓性を有した材料で形成した横長の板体の中央部分が拡幅し、拡幅した板体に開口部を備えたマスク補助具で、人間の顔に装着して人間の鼻を中心に湾曲する不織布マスクとマスク補助具とが共に湾曲して、不織布マスクの中間部を前方へ張り出して作る人間の口元周辺の空間を、拡幅した板体によって更に拡大する事が出来ると共に、開口部が人間の顔の唇の直前に位置して、呼吸への負担を軽減している。【００１７】  第４の考案のマスク補助具は、前記縦長の板体又は拡幅した板体の上端部分に角部又は曲部を備えて、人間の顔に装着して人間の鼻を中心に湾曲する不織布マスク裏面の素地に角部又は曲部が当接して、不織布マスク裏面のプリーツ内側に挿入したマスク補助具が上方向にずれて不織布マスクから脱落する事を防止出来る。
【図面の簡単な説明】
【００１８】
【図１】本考案に係る第１の実施形態を示す斜視図である。
【図２】第１の実施形態のマスク補助具の、横長の板体左右の長さと不織布マスク裏面のプリーツ内側左右の溶着部分間の距離との関係を示す平面図である。
【図３】第１の実施形態の装着状態を示す斜視図である。
【図４】第２の実施形態を示す平面図である。
【図５】第２の実施形態を示す変形例の平面図である。
【図６】第３の実施形態を示す平面図である。
【図７】第３の実施形態を示す変形例の平面図である。
【図８】第４の実施形態を示す平面図である。
【図９】第４の実施形態を示す変形例の平面図である。
【図１０】第３の実施形態の変形例の平面図である。
【図１１】第４の実施形態の変形例の平面図である。
【考案を実施するための形態】
【００１９】  初めに本考案に係る第１の実施形態について、図１、２、３、４を用いて説明する。
【００２０】  図１に示すように、可撓性を有した材料で形成した横長の板体１０で、不織布マスク２裏面のプリーツ７内側に挿入して、板体１０の左右の端面１１を不織布マスク２裏面のプリーツ７内側左右の熱溶着部分５に当接した状態を維持させるための板体１０左右の長さがＬ１である。
【００２１】  図２に示すように、横長の板体１０の左右の端１１間の長さＬ１と、不織布マスク２裏面のプリーツ７内側左右の熱溶着部分５間の距離Ｌ２の長さとが同じ長さ又は１ミリメートルから２ミリメートル長い長さにする事で、板体１０左右の端面１１がプリーツ７内側左右の熱溶着部分５に当接した状態を維持する事が可能となり、板体１０がプリーツ７内側から脱落する事を防止出来る。
【００２２】  図３に示すように、使用する衛生用の不織布マスク２が小さいサイズの場合は、マスク補助具２の板体１０左右の長さＬ１を、小さいサイズの不織布マスク２裏面のプリーツ７内側左右の熱溶着部分５間の距離Ｌ４の長さ合わせるために、板体１０左右の両端を前記距離Ｌ４の計測箇所Ｄでハサミやニッパ等を用いて切断して板体１０の左右の長さＬ３にする事で、小さいサイスの不織布マスク２裏面のプリーツ７内側に挿入する事が出来る。
【００２３】  図４に示すように、横長の板体１０を不織布マスク２裏面のプリーツ７内側に挿入して、板体１０左右の端面１１がプリーツ７内側左右の熱溶着部分５に当接した状態を維持する事により、不織布マスク２と板体１０とが共に湾曲する事が出来る。
【００２４】  第２の実施形態について、図５、６を用いて説明する。
【００２５】  図５に示すように、板体１０の中間部分の左右に、上方向に延伸した２本の縦長の板体１２を備えて、不織布マスク２の中間部を前方に押し出して作る空間の範囲を拡大し、２本の縦長の板体１２間の空間が人間の顔の唇の直前に位置して、呼吸への負担を軽減している。
【００２６】  図６（Ａ）、（Ｂ）、（Ｃ）に示す様に、板体１０の中間部分に上方向に延伸した縦長の板体１２の変形例で、縦長の板体１２の根本部分の幅を広げて断面積を増して、縦長の板体１２の撓み強度を増す事が出来る。
【００２７】第３の実施形態について、図７、８を用いて説明する。
【００２８】  図７に示すように、板体１０の中間部分が拡幅した板体１３に開口部１４を備えて、不織布マスク２の中間部を前方に押し出して作る空間の範囲を拡大し、開口部１４が人間の顔の唇の直前に位置して、呼吸への負担を軽減している。
【００２９】  図８（Ａ）、（Ｂ）、（Ｃ）に示す様に、板体の中間部分で、開口部１４を備えて拡幅した板体１３の変形例である。
【００３０】  第４の実施形態について、図９、１０を用いて説明する。
【００３１】  図９に示すように、板体１０の中間部分の左右に、上方向に延伸した２本縦長の板体１２を備えたマスク補助具１で、上方向に延伸した縦長の板体１２の上端部分１５に角部１６を備えて、不織布マスク２とマスク補助具１とが共に湾曲した状態で、不織布マスク２裏面の素地４に上方向に延伸した縦長の板体１２の上端部分１５に備えた角部１６が当接して、マスク補助具１が上方向へずれて、不織布マスク２裏面から脱落する事を防止出来る。
【００３２】  図１０に示すように、板体１０の中間部分が、開口部１４を備えて拡幅した板体１３の上端部分１５に角部１６を備えて、不織布マスク２を人間の顔に装着して、不織布マスク２とマスク補助具１とが共に湾曲した状態で、不織布マスク２裏面の素地４に拡幅した板体１３の上端部分１５に備えた角部１６が当接して、マスク補助具１が上方向へずれて、不織布マスク２裏面から脱落する事を防止出来る。
【００３３】  第３又は第４の実施形態の変形例を、図１１、１２を用いて説明する。
【００３４】  図１１（Ａ）、（Ｂ）に示すように、板体１０の中間部分で開口部１４を備えて拡幅した板体１３に趣向性を有した変形例である。
【００３５】  図１２（Ａ）、（Ｂ）に示すように、板体１０の中間部分で開口部１４と上端部分１５に角部１６又は曲部１７とを備えて拡幅した板体１３に趣向性を有した変形例である。
【００３６】  尚、マスク補助具１の板体１０は、可撓性を有したポリスチレン（ＰＳ）やポリエチレン（ＰＥ）、ポリプロピレン（ＰＰ）、ポリエチレンテレフタレート（ＰＥＴ）、ポリ塩化ビニール（ＰＶＣ）、ＡＳＢなどの合成樹脂材料、又は可撓性を有した炭素鋼、ステンレス鋼、ニッケル合金、チタン合金などの金属材料、或いはマット紙、クラフト紙、ケント紙などの紙材料、合成紙を用いて、厚さを０．２ミリメートルから１．２ミリメートルで形成する事で、柔軟に湾曲する事が出来る。
【符号の説明】
【００３７】１    マスク補助具
２    不織布マスク
５    熱溶着部分
７    プリーツ
１０  板体
１１  左右の端面
１２  縦長の板体
１３  拡幅した板体
１４  開口部
１５  上端部分
１６  角部
１７  曲部
【図１】
0003234963.tif 000003
【図２】
0003234963.tif 000004
【図３】
0003234963.tif 000005
【図４】
0003234963.tif 000006
【図５】
0003234963.tif 000007
【図６】
0003234963.tif 000008
【図７】
0003234963.tif 000009
【図８】
0003234963.tif 000010
【図９】
0003234963.tif 000011
【図１０】
0003234963.tif 000012
【図１１】
0003234963.tif 000013
【図１２】
0003234963.tif 000014
【手続補正書】
【提出日】令和3年9月13日(2021.9.13)
【手続補正１】
【補正対象書類名】明細書
【補正対象項目名】全文
【補正方法】変更
【補正の内容】
【考案の詳細な説明】
【技術分野】
【０００１】  本考案は、衛生用の不織布マスク裏面のプリーツ内側に挿入して不織布マスクと共に湾曲するマスク補助具に関するものである。
【背景技術】
【０００２】  衛生用の不織布マスクの内側に立体形状のマスク補助具を装着して、衛生用マスクと人間の顔との間に空間を作って、不織布マスクの素地が顔に触れる事を回避する技術が知られている。【０００３】  例えば、下記特許文献１の「マスク補助具」が提案されている。
【先行技術文献】
【特許文献１】
【０００４】
【特許文献１】実用新案登録第３２２９９０９号公報
【特許文献２】特許第６７８０１５０号公報
【考案の概要】
【考案が解決しようとする課題】
【０００５】  しかしながら、特許文献１の「マスク用インナーフレーム」は、立体形状を成している輪郭部分が常に人間の顔に接触しているために圧迫感があり、会話の際の口元に違和感を生じると共に、化粧のファンデーションがマスク用インナーフレームとの接触によって落ちてしまう不都合がある。【０００６】  また、特許文献２の「マスク用補助具」は、衛生用マスクのマスク本体の右又は左に固定するためのクリップとガード部で左右を個々に構成して、中央で左右のガード部が重なった部分を保持部で挟んで固定して連結する構造のマスク用補助具であって、マスク本体の素地をクリップで挟んで固定し、中央でガード部が重なる部分でスライドさせて左右の長さを変える事が出来るもので、２枚の板を重ねて支持部で固定している為に柔軟性を欠いてしまいマスク本体に沿った湾曲は難しく、また、左右に備えられたクリップは、マスク用補助具が湾曲した状態を左右のクリップで維持させるための物であるが、湾曲したマスク補助具が元に戻ろうとする力が常に働き、マスク本体から脱落する外方向の力が常にクリップへ加わるために、マスク本体の素地を挟み込む強い力が必要で、その力を持続的に維持するためには締め付け力が強力なクリップを構成する必要がある。また、湾曲したマスク補助具が元に戻ろうとする力を生じさせないために針金等をガード部内部に装填して湾曲状態を維持する構造の実施形態も記されている。以上の点から勘案してマスク補助具の重量が増加して装着時の負担が増してしまう。更にマスク用補助具を構成する部品構造や製造方法が複雑で、且つ部品数が多くなる事で生産効率が低くなり低コストでの提供が困難であると考えられる。【０００７】  そこで、本考案では、衛生用の不織布マスク裏面のプリーツ内側に、可撓性を有した材料で形成した横長の板体を挿入して、プリーツ左右の熱溶着部分に横長の板体左右の端面が当接した状態を維持して、不織布マスクと共に湾曲して不織布マスクの中間部を前方へ張り出して人間の口元周辺に空間を作り、唇や皮膚に接触する事を回避する事が可能で、且つ簡単な構造である事で低コストのマスク補助具を提供する事を目的とする。【０００８】  尚、本発明のマスク補助具は、マスク補助具単体で提供する事と、予め不織布マスク裏面にマスク補助具を挿入した衛生用の不織布マスクとして提供する事も可能である。
【課題を解決するための手段】
【０００９】  上記の課題を解決するためになされた第１の考案は、横長の板体を衛生用の不織布マスク裏面のプリーツ内側に挿入して、前記板体左右の端面が前記プリーツ左右の熱溶着部分に当接した状態を維持して、人間の顔に装着して不織布マスクと共に湾曲するマスク補助具で、可撓性を有した材料で形成した横長の板体である事を特徴とする。【００１０】  尚、当接とは自由な状態ではなく、規制して動きが抑えられた状態で接している事を意味するものである。【００１１】  第２の考案は、前記板体の中央部分の左右に、上方向又は下方向に延伸する２本の縦長の板体を備えた事を特徴とする【００１２】  第３の考案は、前記板体の中央部分が拡幅し、拡幅した板体に開口部を備えた事を特徴とする。【００１３】  第４の考案は、前記板体中央部分の前記縦長の板体又は前記拡幅した板体の上端部分に、角部又は曲部を備えた事を特徴とする。
【考案の効果】
【００１４】  第１の考案のマスク補助具は、衛生用の不織布マスク裏面のプリーツ内側に可撓性を有した材料で形成した横長の板体を挿入して、当該板体の左右の端面がプリーツ左右の熱溶着部分に当接した状態を維持して、人間の顔に装着して人間の鼻を中心に湾曲する不織布マスクとマスク補助具とが共に湾曲して、不織布マスクの中間部を前方へ張り出して人間の口元周辺に空間を作る事が出来る。【００１５】  第２の考案のマスク補助具は、可撓性を有した材料で形成した横長の板体の中央部分の左右に、上方向又は下方向に延伸した２本の縦長の面を備えて、人間の顔に装着して人間の鼻を中心に湾曲する不織布マスクとマスク補助具とが共に湾曲して、不織布マスクの中間部を前方へ張り出して作る人間の口元周辺の空間を、上方向又は下方向に突出した縦長の板体によって拡大する事が出来ると共に、中間部分の左右で上方向に延伸した２本の縦長の板体間の空間が人間の顔の唇の直前に位置して、呼吸への負担を軽減している。【００１６】  第３の考案のマスク補助具は、可撓性を有した材料で形成した横長の板体の中央部分が拡幅し、拡幅した板体に開口部を備えたマスク補助具で、人間の顔に装着して人間の鼻を中心に湾曲する不織布マスクとマスク補助具とが共に湾曲して、不織布マスクの中間部を前方へ張り出して作る人間の口元周辺の空間を、拡幅した板体によって更に拡大する事が出来ると共に、開口部が人間の顔の唇の直前に位置して、呼吸への負担を軽減している。【００１７】  第４の考案のマスク補助具は、前記縦長の板体又は拡幅した板体の上端部分に角部又は曲部を備えて、人間の顔に装着して人間の鼻を中心に湾曲する不織布マスク裏面の素地に角部又は曲部が当接して、不織布マスク裏面のプリーツ内側に挿入したマスク補助具が上方向にずれて不織布マスクから脱落する事を防止出来る。
【図面の簡単な説明】
【００１８】
【図１】本考案に係る第１の実施形態を示す斜視図である。
【図２】第１の実施形態のマスク補助具の、横長の板体左右の長さと不織布マスク裏面のプリーツ内側左右の溶着部分間の距離との関係を示す平面図である。
【図３】第１の実施形態の装着状態を示す斜視図である。
【図４】第２の実施形態を示す平面図である。
【図５】第２の実施形態を示す変形例の平面図である。
【図６】第３の実施形態を示す平面図である。
【図７】第３の実施形態を示す変形例の平面図である。
【図８】第４の実施形態を示す平面図である。
【図９】第４の実施形態を示す変形例の平面図である。
【図１０】第３の実施形態の変形例の平面図である。
【図１１】第４の実施形態の変形例の平面図である。
【図１２】第４の実施形態の変形例の平面図である。
【考案を実施するための形態】
【００１９】  初めに本考案に係る第１の実施形態について、図１、２、３、４を用いて説明する。
【００２０】図１に示すように、可撓性を有した材料で形成した横長の板体１０で、不織布マスク２裏面のプリーツ７内側に挿入して、板体１０の左右の端面１１を不織布マスク２裏面のプリーツ７内側左右の熱溶着部分５に当接した状態を維持させるための板体１０左右の長さがＬ１である。
【００２１】  図２に示すように、横長の板体１０の左右の端１１間の長さＬ１と、不織布マスク２裏面のプリーツ７内側左右の熱溶着部分５間の距離Ｌ２の長さとが同じ長さ又は１ミリメートルから２ミリメートル長い長さにする事で、板体１０左右の端面１１がプリーツ７内側左右の熱溶着部分５に当接した状態を維持する事が可能となり、板体１０がプリーツ７内側から脱落する事を防止出来る。
【００２２】  図３に示すように、使用する衛生用の不織布マスク２が小さいサイズの場合は、マスク補助具２の板体１０左右の長さＬ１を、小さいサイズの不織布マスク２裏面のプリーツ７内側左右の熱溶着部分５間の距離Ｌ４の長さ合わせるために、板体１０左右の両端を前記距離Ｌ４の計測箇所Ｄでハサミやニッパ等を用いて切断して板体１０の左右の長さＬ３にする事で、小さいサイズの不織布マスク２裏面のプリーツ７内側に挿入する事が出来る。
【００２３】  図４に示すように、横長の板体１０を不織布マスク２裏面のプリーツ７内側に挿入して、板体１０左右の端面１１がプリーツ７内側左右の熱溶着部分５に当接した状態を維持する事により、不織布マスク２と板体１０とが共に湾曲する事が出来る。
【００２４】  第２の実施形態について、図５、６を用いて説明する。
【００２５】  図５に示すように、板体１０の中間部分の左右に、上方向に延伸した２本の縦長の板体１２を備えて、不織布マスク２の中間部を前方に押し出して作る空間の範囲を拡大し、２本の縦長の板体１２間の空間が人間の顔の唇の直前に位置して、呼吸への負担を軽減している。
【００２６】  図６（Ａ）、（Ｂ）、（Ｃ）に示す様に、板体１０の中間部分に上方向に延伸した縦長の板体１２の変形例で、縦長の板体１２の根本部分の幅を広げて断面積を増して、縦長の板体１２の撓み強度を増す事が出来る。
【００２７】  第３の実施形態について、図７、８を用いて説明する。
【００２８】  図７に示すように、板体１０の中間部分が拡幅した板体１３に開口部１４を備えて、不織布マスク２の中間部を前方に押し出して作る空間の範囲を拡大し、開口部１４が人間の顔の唇の直前に位置して、呼吸への負担を軽減している。
【００２９】  図８（Ａ）、（Ｂ）、（Ｃ）に示す様に、板体の中間部分で、開口部１４を備えて拡幅した板体１３の変形例である。
【００３０】  第４の実施形態について、図９、１０を用いて説明する。
【００３１】  図９に示すように、板体１０の中間部分の左右に、上方向に延伸した２本縦長の板体１２を備えたマスク補助具１で、上方向に延伸した縦長の板体１２の上端部分１５に角部１６を備えて、不織布マスク２とマスク補助具１とが共に湾曲した状態で、不織布マスク２裏面の素地４に上方向に延伸した縦長の板体１２の上端部分１５に備えた角部１６が当接して、マスク補助具１が上方向へずれて、不織布マスク２裏面から脱落する事を防止出来る。
【００３２】  図１０に示すように、板体１０の中間部分が、開口部１４を備えて拡幅した板体１３の上端部分１５に角部１６を備えて、不織布マスク２を人間の顔に装着して、不織布マスク２とマスク補助具１とが共に湾曲した状態で、不織布マスク２裏面の素地４に拡幅した板体１３の上端部分１５に備えた角部１６が当接して、マスク補助具１が上方向へずれて、不織布マスク２裏面から脱落する事を防止出来る。
【００３３】  第３又は第４の実施形態の変形例を、図１１、１２を用いて説明する。
【００３４】  図１１（Ａ）、（Ｂ）に示すように、板体１０の中間部分で開口部１４を備えて拡幅した板体１３に趣向性を有した変形例である。
【００３５】  図１２（Ａ）、（Ｂ）に示すように、板体１０の中間部分で開口部１４と上端部分１５に角部１６又は曲部１７とを備えて拡幅した板体１３に趣向性を有した変形例である。
【００３６】  尚、マスク補助具１の板体１０は、可撓性を有したポリスチレン（ＰＳ）やポリエチレン（ＰＥ）、ポリプロピレン（ＰＰ）、ポリエチレンテレフタレート（ＰＥＴ）、ポリ塩化ビニール（ＰＶＣ）、ＡＳＢなどの合成樹脂材料、又は可撓性を有した炭素鋼、ステンレス鋼、ニッケル合金、チタン合金などの金属材料、或いはマット紙、クラフト紙、ケント紙などの紙材料、合成紙を用いて、厚さを０．２ミリメートルから１．２ミリメートルで形成する事で、柔軟に湾曲する事が出来る。
【符号の説明】
【００３７】  １    マスク補助具
２    不織布マスク
５    熱溶着部分
７    プリーツ
１０  板体
１１  左右の端面
１２  縦長の板体
１３  拡幅した板体
１４  開口部
１５  上端部分
１６  角部
１７  曲部